(57)【要約】      （修正有）【課題】簡易に組立、製造コストの低減を可能とする冷陰極蛍光ランプ用導電部材を提供する。【解決手段】少なくとも１つの冷陰極蛍光ランプ２の導電部２１を電気接続するために用いられる冷陰極蛍光ランプ用導電部材であって、前記導電部材は、少なくとも１つの連接端子１と少なくとも１つの延伸導電部３を有し、前記連接端子１に前記冷陰極蛍光ランプ２の導電部２１を設置するための挿入孔１１が形成され、前記延伸導電部３に複数の導電挟み部３２が設けられ、各導電挟み部３２に夫々対応する連接端子１を設置することを特徴とする。【選択図】図１
0003147861.tif 000002
【実用新案登録請求の範囲】
【請求項１】
少なくとも１つの冷陰極蛍光ランプの導電部を電気接続するために用いられる冷陰極蛍光ランプ用導電部材であって、
前記導電部材は、少なくとも１つの連接端子と少なくとも１つの延伸導電部を有し、前記連接端子に前記冷陰極蛍光ランプの導電部を設置するための挿入孔が形成され、前記延伸導電部に複数の導電挟み部が設けられ、前記各導電挟み部に夫々対応する連接端子を設置することを特徴とする、冷陰極蛍光ランプ用導電部材。
【請求項２】
前記連接端子は、延伸柱体の構造であることを特徴とする、請求項１に記載の冷陰極蛍光ランプ用導電部材。
【請求項３】
前記冷陰極蛍光ランプの導電部は、導電接続ワイヤであることを特徴とする、請求項１に記載の冷陰極蛍光ランプ用導電部材。
【請求項４】
前記冷陰極蛍光ランプの導電部は、導電キャップであることを特徴とする、請求項１に記載の冷陰極蛍光ランプ用導電部材。
【請求項５】
少なくとも１つの冷陰極蛍光ランプの導電部を電気接続するために用いられる冷陰極蛍光ランプ用導電部材であって、
前記導電部材は、少なくとも１つの連接端子と、少なくとも１つの延伸導電部と、少なくとも１つの組立ユニットとを有し、前記連接端子に前記冷陰極蛍光ランプの導電部を設置するための挿入孔が形成され、
前記延伸導電部には複数の組立凸部が設けられ、前記各組立凸部に上方へ伸びる組立ロッドが設けられ、
前記組立ユニットは、前記連接端子を設置するための組立部を有し、前記組立部に前記組立ロッドと結合することが可能な組立孔が形成されることにより、前記組立ロッドが前記連接端子に設けられる冷陰極蛍光ランプの導電部と電気接続することができることを特徴とする、冷陰極蛍光ランプ用導電部材。
【請求項６】
前記組立ユニットの組立部は、円弧状の溝であることを特徴とする、請求項５に記載の冷陰極蛍光ランプ用導電部材。
【請求項７】
前記組立ユニットの組立部は、前記連接端子を包覆するカバーであることを特徴とする、請求項５に記載の冷陰極蛍光ランプ用導電部材。
【請求項８】
前記連接端子は、延伸柱体の構造であることを特徴とする、請求項５に記載の冷陰極蛍光ランプ用導電部材。
【請求項９】
前記冷陰極蛍光ランプの導電部は、導電接続ワイヤであることを特徴とする、請求項５に記載の冷陰極蛍光ランプ用導電部材。
【請求項１０】
前記冷陰極蛍光ランプの導電部は、導電キャップであることを特徴とする、請求項５に記載の冷陰極蛍光ランプ用導電部材。
【考案の詳細な説明】
【技術分野】
【０００１】
本考案は導電部材に係り、特に冷陰極蛍光ランプ用導電部材に関するものである。
【背景技術】
【０００２】
液晶モニター（ＬＣＤ）は、顕示ユニットと、該顕示ユニットの下方に位置されるバックライトモジュールと、フレームを有するケースとからなる。該顕示ユニットは、ディスプレイパネル（ＤＩＳＰＬＡＹ  ＰＡＮＥＬ）と、情報信号を処理することが可能な回路板と、支持用のフィルムパッケージ（Ｔａｐｅ  Ｃａｒｒｉｅｒ  Ｐａｃｋａｇｅ、ＴＣＰ）などを備える。該バックライトモジュールは、冷陰極蛍光ランプと、ライトガイドプレートと、光拡散プレートと、反射プレートなどを備える。
【０００３】
該バックライトモジュールにおける冷陰極蛍光ランプの両端に外部電極として導電接続ワイヤが設けられ、高周波電力供給装置によって高周波電圧を該冷陰極蛍光ランプの両端における導電接続ワイヤに印加することにより、該冷陰極蛍光ランプの内部において放電を行い、該放電より発生した紫外線が該冷陰極蛍光ランプの内壁に形成される蛍光粉を激発しながら、該バックライトモジュールの光源として光を発生する。
【０００４】
該冷陰極蛍光ランプの導電接続ワイヤと電線との連結は、先ず該電線の端部付近におけるプラスチック製のカバーを取り除くことにより、該電線の一部の金属ワイヤを露出させる。そして人工や機械で該露出した金属ワイヤを丸状のように巻き上げ、こうして巻き上げた部分に対して錫メッキを加工することにより、該部分の強度を向上させる。次に、該電線の金属ワイヤが収容孔を有するベースに貫通し、該金属ワイヤと該冷陰極蛍光ランプの導電接続ワイヤとを溶接させ、最後に、電線を引き返して該冷陰極蛍光ランプの導電接続ワイヤをベースの収容孔に位置させる。
【考案の開示】
【考案が解決しようとする課題】
【０００５】
しかしながら、前記冷陰極蛍光ランプの導電接続ワイヤと電線の金属ワイヤが前記連結方法により互いに連結できるが、該金属ワイヤと冷陰極蛍光ランプの導電接続ワイヤを安定的に溶接するために、電線の端部における一部のプラスチック製のカバーを取り除き、一部の金属ワイヤを露出させなければならない。又、金属ワイヤがベースの収容孔に貫通する前に、人工や機械で該露出した金属ワイヤを丸状のように巻き上げ、こうして巻き上げた部分に対して錫メッキを加工し、最後に金属ワイヤと導電接続ワイヤを溶接して連結しなければならないため、この連結方式は、非常に面倒であり、加工時間もかかり、組立も困難であり、更にメンテナンスも面倒であるという問題があった。
【０００６】
そこで、案出されたのが本考案であって、簡単に組み立て、製造コストを低減できる冷陰極蛍光ランプ用導電部材を提供することを目的としている。
【課題を解決するための手段】
【０００７】
上記課題を解決するために、本考案の請求項１は、少なくとも１つの冷陰極蛍光ランプの導電部を電気接続するために用いられる冷陰極蛍光ランプ用導電部材であって、前記導電部材は、少なくとも１つの連接端子と少なくとも１つの延伸導電部を有し、前記連接端子に前記冷陰極蛍光ランプの導電部を設置するための挿入孔が形成され、前記延伸導電部に複数の導電挟み部が設けられ、前記各導電挟み部に夫々対応する連接端子を設置することを特徴とする冷陰極蛍光ランプ用導電部材である。
【０００８】
本考案の請求項２は、請求項１に記載の冷陰極蛍光ランプ用導電部材において、前記連接端子は、延伸柱体の構造である。
【０００９】
本考案の請求項３は、請求項１に記載の冷陰極蛍光ランプ用導電部材において、前記冷陰極蛍光ランプの導電部は、導電接続ワイヤである。
【００１０】
本考案の請求項４は、請求項１に記載の冷陰極蛍光ランプ用導電部材において、前記冷陰極蛍光ランプの導電部は、導電キャップである。
【００１１】
また、本考案の請求項５は、少なくとも１つの冷陰極蛍光ランプの導電部を電気接続するために用いられる冷陰極蛍光ランプ用導電部材であって、前記導電部材は、少なくとも１つの連接端子と、少なくとも１つの延伸導電部と、少なくとも１つの組立ユニットとを有し、前記連接端子に前記冷陰極蛍光ランプの導電部を設置するための挿入孔が形成され、前記延伸導電部には複数の組立凸部が設けられ、前記各組立凸部に上方へ伸びる組立ロッドが設けられ、前記組立ユニットは、前記連接端子を設置するための組立部を有し、前記組立部に前記組立ロッドと結合することが可能な組立孔が形成されることにより、前記組立ロッドが前記連接端子に設けられる冷陰極蛍光ランプの導電部と電気接続することができることを特徴とする冷陰極蛍光ランプ用導電部材である。
【００１２】
本考案の請求項６は、請求項５に記載の冷陰極蛍光ランプ用導電部材において、前記組立ユニットの組立部は、円弧状の溝である。
【００１３】
本考案の請求項７は、請求項５に記載の冷陰極蛍光ランプ用導電部材において、前記組立ユニットの組立部は、前記連接端子を包覆するカバーである。
【００１４】
本考案の請求項８は、請求項５に記載の冷陰極蛍光ランプ用導電部材において、前記連接端子は、延伸柱体の構造である。
【００１５】
本考案の請求項９は、請求項５に記載の冷陰極蛍光ランプ用導電部材において、前記冷陰極蛍光ランプの導電部は、導電接続ワイヤである。
【００１６】
本考案の請求項１０は、請求項５に記載の冷陰極蛍光ランプ用導電部材において、前記冷陰極蛍光ランプの導電部は、導電キャップである。
【００１７】
即ち、本考案に採用される技術手段は、冷陰極蛍光ランプの導電部を本考案の導電部材と結合させ、高周波電力供給装置で高周波電圧を冷陰極蛍光ランプに入力することにより、冷陰極蛍光ランプの内部に放電を発生し、バックライトモジュールの光源として使用することができる。
【考案の効果】
【００１８】
本考案は上記の課題を解決するものであり、少なくとも１つの冷陰極蛍光ランプの導電部を電気接続するために用いられる冷陰極蛍光ランプ用導電部材であって、前記導電部材は、少なくとも１つの連接端子と少なくとも１つの延伸導電部を有し、前記連接端子に前記冷陰極蛍光ランプの導電部を設置するための挿入孔が形成され、前記延伸導電部に複数の導電挟み部が設けられ、各導電挟み部に夫々対応の連接端子を設置することにより、液晶モニターのバックライトモジュールの組立は、更に簡単になることができ、故に生産コストを降下する効果を奏する。
【考案を実施するための最良の形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１は、本考案に係る冷陰極蛍光ランプ用導電部材の実施例１の斜視図であり、図２は、本考案に係る冷陰極蛍光ランプ用導電部材の実施例１の分解斜視図であり。図３は、本考案に係る冷陰極蛍光ランプ用導電部材の実施例２の分解斜視図であり、図４は、図３の４−４線の断面図であり、図５は、本考案に係る冷陰極蛍光ランプ用導電部材の実施例３の分解斜視図であり、図６は、図５の６−６線の断面図であり、図７は、本考案に係る冷陰極蛍光ランプ用導電部材の実施例４の斜視図であり、図８は、本考案に係る冷陰極蛍光ランプの導電部材用実施例４の分解斜視図であり、図９は、本考案に係る冷陰極蛍光ランプ用導電部材の実施例５の分解斜視図であり、図１０は、本考案に係る冷陰極蛍光ランプ用導電部材の実施例６の分解斜視図である。
【実施例１】
【００２１】
図１及び図２に示すように、本考案に係る冷陰極蛍光ランプ用導電部材（１００）の実施例１は、少なくとも１つの連接端子（１）を有し、前記連接端子（１）は、導電材質からなる延伸柱体の構造である。前記連接端子（１）には、挿入孔（１１）が形成され、前記挿入孔（１１）は、所定の大きさと深さを有し、前記冷陰極蛍光ランプ（２）の導電部（２１）が前記挿入孔（１１）に挿入して結合することができる。前記冷陰極蛍光ランプ（２）の導電部（２１）は、前記冷陰極蛍光ランプ（２）の外部電極とする導電接続ワイヤであると共に、前記冷陰極蛍光ランプ（２）の両端に設けられる。
【００２２】
本考案に係る冷陰極蛍光ランプ用導電部材（１００）は、更に少なくとも１つの延伸導電部（３）を有し、前記延伸導電部（３）の外側エッジ（３１ａ）と内側エッジ（３１ｂ）に夫々複数の導電挟み部（３２）が設けられ、各導電挟み部（３２）に対応する冷陰極蛍光ランプにおける導電部材（１００）の連接端子（１）を挟持することにより、冷陰極蛍光ランプの導電部材（１００）と前記冷陰極蛍光ランプ（２）とを結合することができる。本実施例において、前記冷陰極蛍光ランプ（２）の結合構造は、二個を例として説明するが、二個以上の冷陰極蛍光ランプ（２）の結合構造も等しいため、その詳細な説明を省略する。又、前記冷陰極蛍光ランプの導電部材（１００）は、逆相交流器に結合し、前記逆相交流器で所定の工作電流を提供し、延伸導電部（３）と冷陰極蛍光ランプ（２）とを電気接続させることにより、照明用光源として前記冷陰極蛍光ランプ（２）から蛍光を発生する。
【実施例２】
【００２３】
図３及び図４に示すように、本考案に係る冷陰極蛍光ランプ用導電部材（１００ａ）の実施例２は、前記実施例１と殆ど等しいので、等しい部材について同様な符号を使用すると共に、詳細な説明を省略する。本実施例と実施例１とが異なるのは、前記冷陰極蛍光ランプ用導電部材（１００ａ）における延伸導電部（３）の内側エッジ（３１ｂ）に複数の組立凸部（３３）が設けられ、各組立凸部（３３）に上方へ伸びる組立ロッド（３４）が設けられる。又、前記冷陰極蛍光ランプ用導電部材（１００ａ）は、更に少なくとも１つの組立ユニット（５）を有し、前記組立ユニット（５）は、組立部（５１）を有し、本実施例では、前記組立部（５１）は、円弧状の溝である。前記組立部（５１）の外側は、絶縁材質からなる。前記組立部（５１）に組立孔（５２）が形成される。前記組立ユニット（５）の組立部（５１）は、前記連接端子（１）を位置決めさせることができ、前記連接端子（１）が冷陰極蛍光ランプ（２）の導電部（２１）と結合する。前記組立孔（５２）に前記組立凸部（３３）の組立ロッド（３４）を設置することにより、前記組立ロッド（３４）が冷陰極蛍光ランプ（２）の導電部（２１）と電気接続することができる。
【実施例３】
【００２４】
図５及び図６に示すように、本考案に係る冷陰極蛍光ランプ用導電部材（１００ｂ）の実施例３について、前記組立ユニット（５ａ）の組立部（５１ａ）は、絶縁材質からなるカバーであり、本実施例において、前記組立部（５１ａ）の内径は、前記連接端子（１）の外径と等しい。前記組立部（５１ａ）は、前記連接端子（１）を包覆し、前記組立部（５１ａ）の組立孔（５２ａ）に前記組立凸部（３３）の組立ロッド（３４）が設けられることにより、前記組立ロッド（３４）が冷陰極蛍光ランプ（２）の導電部（２１）と電気接続することができる。
【実施例４】
【００２５】
又、図７及び図８に示すように、本考案に係る冷陰極蛍光ランプ用導電部材（２００）の実施例４について、前記冷陰極蛍光ランプ（２）の導電部（２１ａ）は、前記冷陰極蛍光ランプ（２）の外部電極とする導電キャップであると共に、前記冷陰極蛍光ランプ（２）の両端に設けられる。前記導電部（２１ａ）の外径は、前記冷陰極蛍光ランプ（２）の外径と等しく、故に前記冷陰極蛍光ランプ（２）の導電部（２１ａ）を前記連接端子（１ａ）の挿入孔（１１ａ）に設置することができる。又、結合方式と作用方式は、前記実施例１と等しいため、詳細な説明を省略する。
【実施例５】
【００２６】
図９に示すように、本考案に係る冷陰極蛍光ランプ用導電部材（２００ａ）の実施例５について、前記冷陰極蛍光ランプ（２）の導電部（２１ａ）は、導電キャップであり、前記導電部（２１ａ）の外径は、前記冷陰極蛍光ランプ（２）の外径と等しく、故に前記冷陰極蛍光ランプ（２）の導電部（２１ａ）を前記連接端子（１ａ）の挿入孔（１１ａ）に設置することができる。又、組立ユニット（５ｂ）における組立部（５１ｂ）の大きさと深さは、前記連接端子（１ａ）の外径と長さと等しい。又、結合方式と作用方式は、前記実施例２と等しいため、詳細な説明を省略する。
【実施例６】
【００２７】
図１０に示すように、本考案に係る冷陰極蛍光ランプ用導電部材（２００ｂ）の実施例６について、前記冷陰極蛍光ランプ（２）の導電部（２１ａ）は、導電キャップであり、前記導電部（２１ａ）の外径は、前記冷陰極蛍光ランプ（２）の外径と等しく、故に前記冷陰極蛍光ランプ（２）の導電部（２１ａ）を前記連接端子（１ａ）の挿入孔（１１ａ）に設置することができる。又、組立ユニット（５ｃ）における組立部（５１ｃ）の大きさと深さは、前記連接端子（１ａ）の外径と長さと等しい。
【図面の簡単な説明】
【００２８】
【図１】本考案に係る冷陰極蛍光ランプ用導電部材の実施例１の斜視図
【図２】本考案に係る冷陰極蛍光ランプ用導電部材の実施例１の分解斜視図
【図３】本考案に係る冷陰極蛍光ランプ用導電部材の実施例２の分解斜視図
【図４】図３の４-４線の断面図
【図５】本考案に係る冷陰極蛍光ランプ用導電部材の実施例３の分解斜視図
【図６】図５の６-６線の断面図
【図７】本考案に係る冷陰極蛍光ランプ用導電部材の実施例４の斜視図
【図８】本考案に係る冷陰極蛍光ランプ用導電部材の実施例４の分解斜視図
【図９】本考案に係る冷陰極蛍光ランプ用導電部材の実施例５の分解斜視図
【図１０】本考案に係る冷陰極蛍光ランプ用導電部材の実施例６の分解斜視図
【符号の説明】
【００２９】
１００    冷陰極蛍光ランプ用導電部材
１００ａ  冷陰極蛍光ランプ用導電部材
１００ｂ  冷陰極蛍光ランプ用導電部材
２００    冷陰極蛍光ランプ用導電部材
２００ａ  冷陰極蛍光ランプ用導電部材
２００ｂ  冷陰極蛍光ランプ用導電部材
１        連接端子
１ａ      連接端子
１１      挿入孔
１１ａ    挿入孔
２        冷陰極蛍光ランプ
２１      導電部
２１ａ    導電部
３        延伸導電部
３１ａ    外側エッジ
３１ｂ    内側エッジ
３２      導電挟み部
３３      組立凸部
３４      組立ロッド
５        組立ユニット
５ａ      組立ユニット
５ｂ      組立ユニット
５ｃ      組立ユニット
５１      組立部
５１ａ    組立部
５１ｂ    組立部
５１ｃ    組立部
５２      組立孔
５２ａ    組立孔
【図１】
0003147861.tif 000003
【図２】
0003147861.tif 000004
【図３】
0003147861.tif 000005
【図４】
0003147861.tif 000006
【図５】
0003147861.tif 000007
【図６】
0003147861.tif 000008
【図７】
0003147861.tif 000009
【図８】
0003147861.tif 000010
【図９】
0003147861.tif 000011
【図１０】
0003147861.tif 000012